(57)【要約】      （修正有）【課題】壁面や天井面に容易に取り付けることができ、しかも、撤去した場合にも美観を損なうことがない表示灯を提供する。【解決手段】壁９等に設けた埋め込み型のコンセント１０に取り付けられる表示灯１は、ＬＥＤ照明等の光源と、この光源を点灯させる電源部３が内蔵されたケース２と、このケース２の端面に固着され、電源部３に設けたプラグ部３ａを突出させる開口８ｂを形成したプレート８を備える。さらに、電源部３のプラグ部３ａをプレート８の開口８ｂから突出させてコンセント１０の差し込み口１０ｄに挿入接続するとともに、プレート８をコンセント１０のコンセントホルダー１０ｂのビス孔１０ｅにねじ止め固定して取り付ける。【選択図】図３
0003182580.tif 000002
【実用新案登録請求の範囲】
【請求項１】
壁等に設けた埋め込み型のコンセントに取り付ける表示灯であって、
ＬＥＤ照明等の光源と、この光源を点灯させる電源部が内蔵されたケースと、
このケースの端面に固着され、前記電源部に設けたプラグ部を突出させる開口を形成したプレートを備え、
前記電源部のプラグ部を前記プレートの開口から突出させて前記コンセントの差し込み口に挿入接続するとともに、前記プレートを前記コンセントのコンセントホルダーのビス孔にねじ止め固定して取り付けられる表示灯。
【請求項２】
前記ケースは、垂直方向を長辺とした中空の直方体に形成され、前記電源部は、プラグ部を突出させた端面の垂直方向を長辺とした略直方体形状のＡＣアダプターであり、前記電源部の長辺を前記ケースの長辺に一致させて内蔵させ、前記電源部のプラグ部は、平面が長辺方向に対して直行させ、前記プラグ部を前記コンセントの長辺方向に対して直行させた差し込み口に挿入接続する請求項１に記載の表示灯。
【請求項３】
前記プレートに形成した開口は、前記電源部または前記プラグ部が挿通可能な大きさに形成された請求項１および２に記載の表示灯。
【考案の詳細な説明】
【技術分野】
【０００１】  本発明は壁等に設置してピクトサインを表示する表示灯に関し、詳しくは、壁等に設けた埋め込み型のコンセントに取り付けられる表示灯に関する。
【背景技術】
【０００２】  従来から、オフィスビルや雑居ビル、マンション、映画館、地下鉄構内、地下街等の様々な公共施設や商業施設において、誘導、案内、防犯などを目的とした種々の表示灯が設置されている。この種の表示灯は、例えば、特開２００１−３５１４１７号公報（特許文献１）、特開２００９−２８９６８２号公報（特許文献２）、特開平５−２４２７１０号公報（特許文献３）等のように、透光性を有し文字やマークなどの表示内容が前面に付された表示パネル及び少なくとも表示パネルの前面を出光面として光を照射する光源からなる表示部と、光源を点灯させるための点灯回路と、点灯回路を内部に収納し表示部の背面に配設される扁平な箱形のケースとを備えている。【０００３】  表示灯の取り付け方には、壁の裏側にケースを配置する埋め込みタイプのものと、壁面に直接取り付ける直付けタイプのものとがある。いずれのタイプにおいても、点灯回路に商用電源を接続することが必要である。一般的には、壁の内部に配線された電線の一端を外部に導出させて、表示灯を取り付けるときに点灯回路に接続される。また、壁面にコンセントを設け、表示灯の外部に導出した電線の先端にプラグを接続し、表示灯を設置した後にコンセントに接続するようにしていた。
【先行技術文献】
【特許文献】
【０００４】
【特許文献１】特開２００１−３５１４１７号公報
【特許文献２】特開２００９−２８９６８２号公報
【特許文献３】特開平５−２４２７１０号公報
【考案の概要】
【考案が解決しようとする課題】
【０００５】  埋め込みタイプと直付けタイプのいずれの表示灯であっても、壁にケース用の穴、或いは電線を導出する穴を空けて設置されることから、専門の電気工事者が設置する必要がある。このため、表示灯を設置する場合、或いは、表示灯が不要になり撤去する場合には、電気工事者に依頼することから工事費が必要になる。また、壁に空けた穴を塞ぐ必要があることから、工事費が高額になるとともに、穴を塞いだ痕跡が美観を損なう問題がある。【０００６】  本考案が解決しようとする課題は、壁面や天井面に容易に取り付けることができ、しかも、撤去した場合にも美観を損なうことがない表示灯を提供することにある。
【課題を解決するための手段】
【０００７】  そこで、本考案は、壁等に設けた埋め込み型のコンセントに取り付けられる表示灯であって、ＬＥＤ照明等の光源と、この光源を点灯させる電源部が内蔵されたケースと、このケースの端面に固着され、前記電源部に設けたプラグ部を突出させる開口を形成したプレートを備え、前記電源部のプラグ部を前記プレートの開口から突出させて前記コンセントの差し込み口に挿入接続するとともに、前記プレートを前記コンセントのコンセントホルダーのビス孔にねじ止め固定して取り付けることを要旨としている。【０００８】  また、前記ケースは、垂直方向を長辺とした中空の直方体に形成され、前記電源は、プラグ部を突出させた端面の垂直方向を長辺とした略直方体形状のＡＣアダプターであり、前記電源の長辺を前記ケースの長辺に一致させて内蔵させ、前記電源のプラグ部は、平面が長辺方向に対して直行させ、前記プラグ部を前記コンセントの長辺方向に対して直行させた差し込み口に挿入接続することが望ましい。【０００９】  さらに、前記プレートに形成した開口は、前記電源部または前記プラグ部が挿通可能な大きさに形成することが望ましい。
【考案の効果】
【００１０】  本考案によれば、表示灯のケースの端面にコンセント用のプレートを固着しているので、壁等の所定位置に予め設けた埋め込み型のコンセントにプレートをねじ止めすることにより、表示灯を容易に取り付けることができる。この取り付け作業は、コンセントの差し込み口にプラグ部を挿入接続してプレートをねじ止めするだけで良く、専門の電気工事者でなくても取り付けることが可能であり、工事費を低減することができる。また、表示灯を撤去した場合にも、壁等にはコンセントが残ることから、美観を損なうことがない。【００１１】  また、ケースの垂直方向を長辺とした中空の直方体に形成し、電源部の垂直方向を長辺とした略直方体形状にしていることから、表示灯を扁平な薄型にすることが可能となり、ケースの端面が小さいので視界に入り難くなるので美観を保つことができる。【００１２】  さらに、プレートに形成した開口を電源部やプラグ部が挿通可能な大きさに形成することにより、表示灯を取り付けるときに、予めプラグ部をコンセントの差し込み口に挿入接続した後に、プレートをコンセントにねじ止め固定することができるので、取り付けの作業性を良好にすることができる。
【図面の簡単な説明】
【００１３】
【図１】本考案に係る表示灯の一実施例を示す正面図である。
【図２】図１に示す表示灯の断面を示す断面図である。
【図３】本考案に係る表示灯とコンセントの関係を示す斜視図である。
【図４】本考案に係る表示灯を壁、天井に取り付けた状態を示す説明図である。
【図５】（Ａ）（Ｂ）は、表示灯の第２の実施例を示す正面図である。
【図６】表示灯の第３の実施例を示す分解正面図である。
【考案を実施するための形態】
【００１４】  壁等に設けた埋め込み型のコンセントに取り付けられる表示灯は、ＬＥＤ照明等の光源と、この光源を点灯させる電源部が内蔵されたケースと、このケースの端面に固着され、前記電源部に設けたプラグ部を突出させる開口を形成したプレートを備え、前記電源部のプラグ部を前記プレートの開口から突出させて前記コンセントの差し込み口に挿入接続するとともに、前記プレートを前記コンセントのコンセントホルダーのビス孔にねじ止め固定して取り付けられる。
【００１５】  以下、図面に基づいて本考案の実施例を詳細に説明する。表示灯１のケース２は、ステンレス、アルミニウム等の板材を板金加工によって中空の直方体に形成されている。ケース２の中空内部には、後述する電源部３が出入り自在に内蔵される。また、ケース２の側面には、図１に示すように、場所を案内する文字が打ち抜き形成されている。さらに、ケース２の上面には、図２に示すように、長辺方向に挿通孔２ａが形成され、この挿通孔２ａの周囲の起立部２ｂには、小孔が２個所形成されている。この挿通孔２ａには、透明なアクリル板４の下端側が挿入され、小孔に挿通するビス５によって固定されている。このアクリル板４には、例えば、図１に示すようなピクトサイン４ａが表示されている。アクリル板４の下端面は、後述する照明用の光源としてのＬＥＤアレイ６に載置されている。このＬＥＤアレイ６から発光する光がアクリル板４を透過し、ピクトサイン４ａによって屈折させることにより、恰もピクトサイン４ａが発光したかのように表示させる。また、ケース２の側面の内面には、図２に示すように、打ち抜き形成された文字を覆うように例えば乳白色のアクリル板からなる拡散板７が添設されている。ＬＥＤアレイ６から発光された光は拡散板７により均等に拡散され、文字を均一に表示する。
【００１６】  ケース２の長辺方向の一端側には、図１に示すように、ＡＣアダプターからなる電源部３が配設されている。電源部３は、一般に市販されているＡＣアダプターと同様に、商用電源のＡＣ１００Ｖを所定の電圧の直流電源に変換する。さらに電源部３は、略直方体形状に形成され、図示左方の端面からはプラグ部３ａが突出され、右方の端面からは出力側の電線３ｂが導出され、ＬＥＤアレイ６に接続されている。そして、電源部３の長辺をケース２の垂直方向を長辺に一致するように内蔵する。このように、電源部３を垂直方向に沿って縦長に配置することにより横幅が小さくなることから、ケース２を薄型に構成することが可能となる。また、電源部３の端面から突出させたプラグ部３ａは、平面が電源部３の長辺方向に対して直行させている。これは、ケース２を薄型に構成するためである。
【００１７】  また、ケース２の内部底面には、ＬＥＤアレイ６が配設されている。このＬＥＤアレイ６は、細長の配線基板の上面に複数個のＬＥＤチップが配列され、電源部３の出力直流電源に接続されることにより、上方に向けて発光する。ＬＥＤアレイ６の上面には、前述したようにアクリル板４の端面が載置されていることから、ＬＥＤから発光した光がアクリル板４の端面に直接導入される。
【００１８】  ケース２の長辺方向の一端には、プレート８が固着されている。このプレート８は、壁等に設けるために、一般に使用されている埋め込み型のコンセントに使用する化粧プレートと同じ形状に形成されていて、長手方向の上下には透孔８ａが形成されている。また、プレート８の中央には、長方形の開口８ｂが形成されている。この開口８ｂの大きさは、前述した電源部３の挿通を許容する大きさに形成されている。
【００１９】  一方、壁９に設けられた埋め込み型のコンセント１０は、図２に示すような一般に使用されているコンセントと同様に構成され、詳細な説明は省略するが、壁９の内部に設置されたボックス１０ａには、コンセントホルダー１０ｂが取り付けられ、このコンセントホルダー１０ｂに差込口保持体１０ｃが取り付けられている。差込口保持体１０ｃには、前述した電源部３のプラグ部３ａが挿入接続される差し込み口１０ｄが設けられている。この差し込み口１０ｄは、コンセント１０の長辺方向に対して直行させている。また、コンセントホルダー１０ｂにはビス孔１０ｅが形成されている。そして、コンセント１０は、図４に示すように、一般的に表示灯が設置される位置と同様に、天井側に近い位置に設置する。
【００２０】  次に、以上説明した表示灯１の取り付け方法について説明する。壁９の所定位置に設けられた埋め込み型のコンセント１０は、図３に示すように、差込口保持体１０ｃが取り付けられたコンセントホルダ１０ｂがボックス１０ａに取り付けられている。まず、電源部３をプレート８の開口８ｂから引き出し、プラグ部３ａを差込口保持体１０ｃの差し込み口１０ｄに挿入接続する。その後、電源部３をケース２内に戻しながらプレート８をコンセントホルダ１０ｂの所定位置に当接し、コンセントホルダ１０ｂのビス孔１０ｅとプレート８の透孔８ａとを合わせる。この状態で、プレート８側からビス１１を挿入してねじ止めする。これにより、表示灯１の取り付け作業は完了する。表示灯１は、ケース２の端面に固着されたプレート８によって、壁９の所定位置に設置される。
【００２１】  上述した実施例は、表示灯を壁に設置した例を示したが、天井１２に設置することもできる。すなわち、図４に示すように、表示灯２０は、ケース２の上面にプレート２１が固着されている。プレート２１も前述した実施例と同様に、電源部３の挿通を許容する大きさの開口８ｂが形成されている。この実施例の場合は、図４に示すように、電源部３をケース２の左方に偏奇させた位置に設けることが望ましい。また、ケース２内の上面には、ＬＥＤアレイが配設され、ケース２の下方には、長辺方向に形成された挿通孔にピクトサイン４ａが表示されたアクリル板４を挿通し、上端面をＬＥＤアレイに当接した状態で設置することは、前述した実施例と同様である。
【００２２】  図５は、表示灯の第２の実施例を示している。図５（Ａ）は、ピクトサイン４ａが表示されたアクリル板４をケース２から垂下させた例である。この実施例は、実質的に前述した実施例と同様に構成されている。異なる点は、壁９の所定位置に設けられた埋め込み型のコンセント１０に対し、前述した実施例と上下を逆にして取り付けたものである。
【００２３】  図５（Ｂ）は、ケース２の側面に打ち抜き形成された案内用の文字のみで表示灯３０を構成した例である。前述した実施例と異なる点は、ケース２にはアクリル板４を挿通する挿通孔がないことを除き、実質的に前述した実施例と同様に構成されている。
【００２４】  図６は、表示灯の第３の実施例を示している。この実施例において、前述した実施例と異なる点は、電源部４１がケース２内に固定され、電源部４１に接続された電線４３の先端にプラグ部４２を接続したことである。なお、その他の構成は前述した実施例と同様であり、詳細な説明は省略する。この第３の実施例による表示灯４０を壁９の所定位置に設けられた埋め込み型のコンセント１０に設置する場合は、まず、プラグ部４２をプレート８の開口８ｂから引き出し、プラグ部４２を差込口保持体１０ｃの差し込み口１０ｄに挿入接続する。その後、プラグ部４２をケース２内に戻しながらプレート８をコンセントホルダ１０ｂの所定位置に当接し、コンセントホルダ１０ｂのビス孔１０ｅとプレート８の透孔８ａとを合わせる。この状態で、プレート８側からビス１１を挿入してねじ止めすることにより、表示灯４０を取り付けることができる。
【００２５】  以上、本考案を実施例に基づき具体的に説明したが、本考案は上記実施例に限定されるものではなく、その要旨を逸脱しない範囲で種々変形可能であることは言うまでもない。前述した実施例は、光源としてＬＥＤアレイを用いたが、蛍光灯を用いても良く、この場合は、電源部として安定器が用いられる。また、ケースの側面に案内用の文字を形成したが、この文字を省略しても良い。さらに、壁９に設けられる埋め込み型のコンセントは、前述した実施例以外の各種構成のコンセントに変更しても良い。コンセントの差し込み口は、一般に多用されているような、垂直方向に細長の差し込み口であっても良い。
【符号の説明】
【００２６】１      表示灯
２      ケース
３      電源部
３ａ    プラグ部
４      アクリル板
６      ＬＥＤアレイ（光源）
８      プレート
８ｂ    開口
９      壁
１０    コンセント
１０ｂ  コンセントホルダー
１０ｄ  差し込み口
１０ｅ  ビス孔
【図１】
0003182580.tif 000003
【図２】
0003182580.tif 000004
【図３】
0003182580.tif 000005
【図４】
0003182580.tif 000006
【図５】
0003182580.tif 000007
【図６】
0003182580.tif 000008